(57)【要約】      （修正有）【課題】レンズ鏡筒において低消費電力モードを解除する際の操作リングの回転操作開始をより簡単な構造で検出できるようにして、操作リングの回転操作開始を検出する機構の加工性及び組立性を高める仕組みを提供する。【解決手段】撮像装置は、操作リング２１の回転操作開始を検出する操作検出手段として、基準電極接点２８と電極接点２４ａ，２４ｂとの円筒電極２３を介した導通状態により実現する。なお回転部材２３は、第２の導通部５２ｂの周方向に隣り合う位置に非導通部５３が形成され、電極接点２４ａ，２４ｂは、円筒電極２３ａを径方向に対向する方向から挟み込むように配置される。【選択図】図４
2015215497.tif 000002
【特許請求の範囲】
【請求項１】
回転操作が可能な操作リングを備えるレンズ鏡筒であって、
前記操作リングの回転量を検出する回転量検出手段と、
前記回転量検出手段により検出された前記操作リングの回転量に基づき、光学レンズを光軸方向に駆動するレンズ駆動手段と、
前記操作リングの回転が伝達され、円筒電極を有する回転部材と、
前記回転部材の周方向に互いに離間して配置されて前記円筒電極に接触する複数の電極接点と、
前記複数の電極接点に対して前記回転部材の軸方向に離間して配置されて前記円筒電極に接触する基準電極接点と、
前記基準電極接点と前記複数の電極接点との前記円筒電極を介した導通状態により前記操作リングの回転操作開始を検出する操作検出手段と、を備え、
前記円筒電極は、前記回転部材の周方向の全周に渡って配置されて前記基準電極接点が接触して導通する第１の導通部と、前記第１の導通部から前記回転部材の軸方向に延びて設けられ、前記複数の電極接点が接触して導通可能な第２の導通部と、を有し、
前記回転部材は、前記第２の導通部の周方向に隣り合う位置に非導通部が形成され、前記複数の電極接点の２つの前記電極接点は、前記円筒電極を径方向に対向する方向から挟み込むように配置されることを特徴とするレンズ鏡筒。
【請求項２】
前記第２の導通部の個数をｎ（ｎは奇数）とした場合、前記第２の導通部は、前記円筒電極の円周上で、角度θ＝３６０／ｎ［ｄｅｇ］の間隔で配置され、周方向の幅は、角度φ＜３６０／２ｎ［ｄｅｇ］となるように設けられることを特徴とする請求項１に記載のレンズ鏡筒。
【請求項３】
互いに導通する２つの前記基準電極接点を有し、２つの前記基準電極接点は、前記円筒電極を径方向に対向する方向から挟み込むように配置されることを特徴とする請求項１又は２に記載のレンズ鏡筒。
【請求項４】
レンズ鏡筒を備える撮像装置であって、
前記レンズ鏡筒として、請求項１乃至３のいずれか一項に記載のレンズ鏡筒を備えることを特徴とする撮像装置。
【請求項５】
前記レンズ鏡筒は、装置本体に対して交換可能に装着されることを特徴とする請求項４に記載の撮像装置。
【発明の詳細な説明】
【技術分野】
【０００１】
本発明は、例えばデジタルカメラやデジタルビデオカメラ等に搭載されるレンズ鏡筒、及びレンズ鏡筒を備える撮像装置に関する。
【背景技術】
【０００２】
デジタルカメラ等の撮像装置に搭載されるレンズ鏡筒では、静音化等の観点から、操作リングの回転量を検出手段で検出し、検出結果に基づき、モータ等の駆動源によりレンズを光軸方向に駆動してパワーズームやパワーフォーカス等を行うものがある。
【０００３】
このようなデジタルカメラでは、カメラ本体での操作が一定時間行われないと、カメラ本体のマイクロコンピュータにより、消費電力を抑える低消費電力モードに設定される。カメラ本体が低消費電力モードに設定されると、カメラ本体からレンズ鏡筒への電力供給が抑えられ、レンズ鏡筒も低消費電力モードとなる。
【０００４】
このようしてレンズ鏡筒が低消費電力モードに設定された場合に、レンズ鏡筒の操作リングの回転が伝達される伝達部で操作リングの回転操作開始を検出することで、低消費電力モードを解除する技術が提案されている（特許文献１）。
【先行技術文献】
【特許文献】
【０００５】
【特許文献１】特開平０６−２６５７７１号公報
【発明の概要】
【発明が解決しようとする課題】
【０００６】
しかし、上記特許文献１のように、操作リングの回転が伝達される伝達部で操作リングの回転操作開始を検出する構成では、軸方向に配置する電極パターンの数が多くなる等、構造が複雑になる。このため、操作リングの回転操作開始を検出する機構の加工性及び組立性に劣り、また、操作リングの周辺が大型化してしまうという問題がある。
【０００７】
そこで、本発明は、レンズ鏡筒において低消費電力モードを解除する際の操作リングの回転操作開始をより簡単な構造で検出できるようにして、操作リングの回転操作開始を検出する機構の加工性及び組立性を高める仕組みを提供することを目的とする。
【課題を解決するための手段】
【０００８】
上記目的を達成するために、本発明は、回転操作が可能な操作リングを備えるレンズ鏡筒であって、前記操作リングの回転量を検出する回転量検出手段と、前記回転量検出手段により検出された前記操作リングの回転量に基づき、光学レンズを光軸方向に駆動するレンズ駆動手段と、前記操作リングの回転が伝達され、円筒電極を有する回転部材と、前記回転部材の周方向に互いに離間して配置されて前記円筒電極に接触する複数の電極接点と、前記複数の電極接点に対して前記回転部材の軸方向に離間して配置されて前記円筒電極に接触する基準電極接点と、前記基準電極接点と前記複数の電極接点との前記円筒電極を介した導通状態により前記操作リングの回転操作開始を検出する操作検出手段と、を備え、前記円筒電極は、前記回転部材の周方向の全周に渡って配置されて前記基準電極接点が接触して導通する第１の導通部と、前記第１の導通部から前記回転部材の軸方向に延びて設けられ、前記複数の電極接点が接触して導通可能な第２の導通部と、を有し、前記回転部材は、前記第２の導通部の周方向に隣り合う位置に非導通部が形成され、前記複数の電極接点の２つの前記電極接点は、前記円筒電極を径方向に対向する方向から挟み込むように配置されることを特徴とする。
【発明の効果】
【０００９】
本発明によれば、レンズ鏡筒において低消費電力モードを解除する際の操作リングの回転操作開始をより簡単な構造で検出できるようにして、操作リングの回転操作開始を検出する機構の加工性及び組立性を高めることができる。
【図面の簡単な説明】
【００１０】
【図１】（ａ）は本発明のレンズ鏡筒を備える撮像装置の実施形態の一例であるデジタルカメラの概略断面図、（ｂ）は（ａ）に示すデジタルカメラの電気系のブロック図である。
【図２】レンズ鏡筒の固定筒と操作リングとの間に回転量検出部及び操作検出部を組み込んだ状態を示す要部断面図である。
【図３】操作リングと回転量検出部との関係を示す図である。
【図４】操作リングと操作検出部との関係を示す斜視図である。
【図５】（ａ）は回転部材の斜視図、（ｂ）は回転部材の分解斜視図、（ｃ）は円筒電極の展開図である。
【図６】回転部材と電極ブラシとの接触状態について説明する図である。
【図７】操作リングを回転操作したときに電極ブラシで検出されるスイッチ信号のオン／オフの切り替え状態を示す図である。
【図８】電極ブラシとレンズ制御部とを接続する電気回路を示す図である。
【図９】（ａ）はレンズ鏡筒がカメラ本体側の低消費電力モードを認識してから低消費電力モードとなるまでのレンズ制御部の制御例を示すフローチャート図、（ｂ）は（ａ）のステップＳ９１０２における操作検出部の動作セットの処理例を示すフローチャート図である。
【図１０】基準電極接点を複数設けた例を示す斜視図である。
【発明を実施するための形態】
【００１１】
以下、図面を参照して、本発明の実施形態の一例を説明する。
【００１２】
図１（ａ）は本発明のレンズ鏡筒を備える撮像装置の実施形態の一例であるデジタルカメラの概略断面図、図１（ｂ）は図１（ａ）に示すデジタルカメラの電気系のブロック図である。
【００１３】
本実施形態のデジタルカメラは、図１に示すように、カメラ本体１に対してレンズ鏡筒２が電気接点９を介して交換可能に装着される。ここで、カメラ本体１は、本発明の装置本体の一例に相当する。
【００１４】
レンズ鏡筒２は、フォーカスレンズ１１を含む光学レンズ群からなる撮影光学系３、フォーカスレンズ１１を駆動するレンズ駆動部１２、操作リング２１の回転操作開始を検出する操作検出部１４及び操作リング２１の回転量を検出する回転量検出部１５を有する。
【００１５】
また、レンズ鏡筒２は、レンズ制御部１６等の各電気素子が実装される回路基板１０、及びリセットＩＣ１７を有する。レンズ制御部１６は、操作検出部１４、回転量検出部１５、及びレンズ鏡筒２の状態を管理してカメラ本体１と電気接点９を介して通信可能に構成される。リセットＩＣ１７は、操作検出部１４からの信号を処理して、レンズ制御部１６に対して電力消費モード変更信号を出力する。
【００１６】
一方、カメラ本体１は、カメラ制御部５、撮像素子６、画像処理部７、及びメモリ部８等を有する。カメラ制御部５は、撮影動作の制御に加えて、カメラ本体１の低消費電力モードへの切り替えや電気接点９を介したレンズ制御部１６との通信が可能であり、画像処理部７、メモリ部８及びレンズ制御部１６からの信号を管理する。
【００１７】
撮像素子６は、ＣＣＤセンサやＣＭＯＳセンサ等で構成され、撮影光学系３を通過して結像した被写体光束を光電変換して画像信号を出力する。撮像素子６から出力された画像信号は、不図示のＡ／Ｄ変換部でデジタル画像信号に変換された後、画像処理部７に送られる。
【００１８】
画像処理部７は、ホワイトバランス回路、ガンマ補正回路、及び補間演算回路等を有し、撮像素子６からの出力信号を処理して画像を生成する。画像処理部７で生成された画像は、メモリ部８に記録される。メモリ部８は、実際の記録部に加えて、記録に必要な処理回路を有する。なお、本実施形態では、カメラ本体１に対してレンズ鏡筒２が交換可能なデジタルカメラを例示したが、カメラ本体１に対してレンズ鏡筒２が一体に設けられるデジタルカメラであってもよい。
【００１９】
カメラ本体１は、電源オフモード、撮影モード、及び低消費電力モードの３つのモードを有する。電源オフモードは、カメラの全ての電気的動作がオフになっているモードである。撮影モードは、電源オフモードから不図示の電源ボタンがオン操作されることで、各電子デバイスに電力を供給し、撮影動作の準備状態となるモードである。低消費電力モードは、撮影モードでカメラ本体１の操作が一定時間行われなかった場合に、消費電力を抑えるために一部の電子デバイスへの電力供給を抑えるモードである。
【００２０】
一方、レンズ鏡筒２においても、カメラ本体１が低消費電力モードに設定されると、回転量検出部１５等の電子デバイス部への電力供給を抑える低消費電力モードとなる。
【００２１】
次に、図２乃至図４を参照して、回転量検出部１５及び操作検出部１４について説明する。図２は、レンズ鏡筒２の固定筒２０と操作リング２１との間に回転量検出部１５及び操作検出部１４を組み込んだ状態を示す要部断面図である。図３は、操作リング２１と回転量検出部１５との関係を示す図である。図４は、操作リング２１と操作検出部１４との関係を示す斜視図である。
【００２２】
図２及び図３に示すように、レンズ鏡筒２の固定筒２０の外周側には、操作リング２１が回転操作可能に設けられる。操作リング２１の内周部には、操作リング２１の回転量の検出に用いるくし歯部２１ａと、操作リング２１の回転操作開始の検出に用いる内歯車部２１ｂとが光軸方向に互いに離間して設けられる。
【００２３】
固定筒２０の外周部には、くし歯部２１ａの操作リング２１の回転方向の動きを検出することで操作リング２１の回転量を検出するフォトインタラプタ２２ａ，２２ｂ（図３参照）が固定筒２０の周方向に互いに離間して設けられる。本実施形態では、くし歯部２１ａ、及びフォトインタラプタ２２ａ，２２ｂにより回転量検出部１５を構成している。
【００２４】
フォトインタラプタ２２ａ，２２ｂは、それぞれ投光部と受光部とを有し、投光部と受光部との間をくし歯部２１ａが通過することで、操作リング２１の回転量、及び回転方向を検出する。なお、フォトインタラプタ２２ａ，２２ｂによる回転方向の検出を含む回転量検出の方法は、公知技術のため詳細な説明は省略する。
【００２５】
次に、操作検出部１４について説明する。図２及び図４に示すように、固定筒２０の外周部には、光軸と平行配置される回転軸２６が一対の軸受部２７ａ，２７ｂにより回転可能に支持されている。回転軸２６には、外歯車部２５及び回転部材２３が嵌合固定されている。外歯車部２５には、操作リング２１の内歯車部２１ｂが噛合し、これにより、操作リング２１の回転が回転部材２３に伝達される。なお、操作リング２１の回転を回転部材２３に伝達する機構は、歯車伝達機構に限定されず、摩擦ローラやその他の伝達機構を採用してもよい。
【００２６】
図２及び図４に示すように、回転部材２３の外周側には、円筒電極２３ａと接することで導通する電極接点である２つの電極ブラシ２４ａ，２４ｂ及び基準電極接点である電極ブラシ２８が設けられている。電極ブラシ２４ａ，２４ｂ，２８は、固定筒２０に設けられて、不図示の電子回路に接続される。
【００２７】
第１の電極接点である電極ブラシ２４ａ及び第２の電極接点である電極ブラシ２４ｂは、回転部材２３の径方向に互いに対向して配置される。また、基準電極接点である電極ブラシ２８は、電極ブラシ２４ａに対して回転部材２３の軸方向に離間した位置に配置され、円筒電極２３ａの第１の導通部５２ａ（図５参照）と常に接触して導通する。そして、回転部材２３が回転すると、電極ブラシ２４ａ又は電極ブラシ２４ｂと電極ブラシ２８とが円筒電極２３ａを介して導通する。
【００２８】
次に、図５を参照して、回転部材２３について具体的に説明する。図５（ａ）は回転部材２３の斜視図、図５（ｂ）は回転部材２３の分解斜視図、図５（ｃ）は円筒電極２３ａの展開図である。
【００２９】
図５（ａ）乃至図５（ｃ）に示すように、回転部材２３は、第１の導通部５２ａ及び第２の導通部５２ｂを形成する円筒電極２３ａと、非導通部５３を形成する樹脂部材２３ｂとが軸方向に一体に嵌合されて形成される。第１の導通部５２ａは、樹脂部材２３ｂの外周部の周方向の略全周に渡って配置されて、略円筒状に形成され、第２の導通部５２ｂは、第１の導通部５２ａから軸方向に延びて樹脂部材２３ｂの周方向に略等間隔で複数（図では３箇所）設けられている。そして、周方向に互いに隣り合う各第２の導通部５２ｂの間には、樹脂部材２３ｂが露出して非導通部５３を形成している。
【００３０】
第１の導通部５２ａには、基準電極接点である電極ブラシ２８が導通し、第２の導通部５２ｂには、第１の電極接点である電極ブラシ２４ａ及び第２の電極接点である電極ブラシ２４ｂが導通可能になっている。
【００３１】
また、図５（ｃ）に示すように、第２の導通部５２ｂの周方向の幅５４は、非導通部５３の周方向の幅５５よりも短く設定されている。このように、本実施形態では、回転部材２３の外周部に、円筒電極２３ａの第２の導通部５２ｂと非導通部５３とにより形成される電極パターン５６及び円筒電極２３ａの第１の導通部５２ａにより形成される電極パターン５７の２つの電極パターンが配置される。
【００３２】
次に、図６を参照して、回転部材２３と電極ブラシ２４ａ，２４ｂとの接触状態について説明する。
【００３３】
図６（ａ）乃至図６（ｃ）は、それぞれ回転部材２３が回転することによる回転部材２３の円筒電極２３ａと電極ブラシ２４ａ，２４ｂとの接触状態の遷移を示している。図６（ａ）は、円筒電極２３ａの第２の導通部５２ｂが電極ブラシ２４ａと接触している状態であり、図６（ｂ）は、第２の導通部５２ｂが電極ブラシ２４ａ，２４ｂに非接触の状態である。図６（ｃ）は、第２の導通部５２ｂが電極ブラシ２４ｂと接触している状態である。
【００３４】
ここで、前述したように、電極パターン５６において、第２の導通部５２ｂの周方向の幅５４は、非導通部５３の周方向の幅５５よりも短く設定されている。このため、回転部材２３が回転することによる円筒電極２３ａの第２の導通部５２ｂと電極ブラシ２４ａ，２４ｂとの接触状態は、必ず図６（ａ）乃至図６（ｃ）のいずれかの状態になる。
【００３５】
一方、電極ブラシ２８は、図６（ａ）乃至図６（ｃ）のいずれの状態においても、円筒電極２３ａの第１の導通部５２ａ（電極パターン５７）と常に接触して導通している。つまり、電極ブラシ２４ａ，２４ｂと電極ブラシ２８間の導通状態は、電極ブラシ２４ａ，２８が導通、電極ブラシ２４ｂ，２８が導通、電極ブラシ２４ａ，２４ｂと電極ブラシ２８が非導通の３つのいずれかの状態になる。
【００３６】
次に、図６（ｄ）乃至図６（ｉ）を参照して、円筒電極２３ａの第２の導通部５２ｂの個数ｎ（ｎは奇数）と周方向の幅５４との関係について説明する。
【００３７】
前述したように、電極ブラシ２４ａ，２４ｂ及び電極ブラシ２８間の導通状態は、電極ブラシ２４ａ，２８が導通、電極ブラシ２４ｂ，２８が導通、電極ブラシ２４ａ，２４ｂと電極ブラシ２８が非導通の３つのいずれかの状態になる。このため、電極ブラシ２４ａと電極ブラシ２４ｂが同時に第２の導通部５２ｂと接触してはならない。
【００３８】
また、回転部材２３がどの回転位置に停止していても、同程度の感度で操作リング２１の操作開始を検出するためには、円筒電極２３ａの第２の導通部５２ｂは、等幅かつ等間隔で配置されるのが好ましい。つまり、第２の導通部５２ｂは、円筒電極２３ａの円周上で、角度θ＝３６０／ｎ［ｄｅｇ］の間隔で配置され、周方向の幅５４は、角度φ＜３６０／２ｎ［ｄｅｇ］によって占める幅となる。
【００３９】
ここで、図６（ｄ）は、円筒電極２３ａの第２の導通部５２ｂの個数ｎがｎ＝３の場合に、角度θ＝３６０／ｎ［ｄｅｇ］及び角度φ＜３６０／２ｎ［ｄｅｇ］を満たすときを示している。
【００４０】
図６（ｄ）では、角度θは、円筒電極２３ａの円周上において各第２の導通部５２ｂの周方向の間隔を表しており、ｎ個の第２の導通部５２ｂが周方向に等間隔で配置される。これにより、回転部材２３がどの回転位置で停止していても、同程度の感度で操作リング２１の操作開始を検知することが可能になる。また、角度φは円筒電極２３ａの円周上において導通部５２の幅５４がなす角度を表している。
【００４１】
図６（ｅ）は、図６（ｄ）と同様に、ｎ＝３の場合に、第２の導通部５２ｂの周方向幅５４が角度φ＜３６０／２ｎ［ｄｅｇ］を満たさないとき、つまり、第２の導通部５２ｂの周方向幅５４のなす角度がφ＞６０°のときを示している。また、図６（ｆ）は、φ＝６０°となった場合を示している。このような場合、回転部材２３の回転状態によっては、図６（ｅ）や図６（ｆ）のように、電極ブラシ２４ａ，２４ｂが同時に第２の導通部５２ｂと接触してしまう。そのため、ｎ＝３の場合には、角度φはφ＜６０°の範囲にする必要がある。
【００４２】
同様にして、図６（ｇ）は、ｎ＝１の場合にφ＝１８０°のときを、図６（ｈ）は、ｎ＝５の場合にφ＝３６°のときを、図６（ｉ）は、ｎ＝９の場合にφ＝２０°のときを表している。これらのような状態を避けるため、それぞれ角度φ＜３６０／２ｎ［ｄｅｇ］を満たすように、ｎ＝１の場合はφ＜１８０°、ｎ＝５の場合はφ＜３６°、ｎ＝９の場合はφ＜２０°とする必要がある。
【００４３】
次に、図７及び図８を参照して、電極ブラシ２４ａ，２４ｂ，２８の導通状態によるスイッチ検出について説明する。
【００４４】
電極ブラシ２４ａ，２４ｂ，２８は、レンズ制御部１６の電子回路に接続され、電極ブラシ２８が第２の導通部５２ｂを介して電極ブラシ２４ａ又は電極ブラシ２４ｂと導通することで２つのスイッチ信号が検出される。電極ブラシ２４ａ，２４ｂは、それぞれ電極ブラシ２８と導通状態ではオン信号が検出され、電極ブラシ２８と非導通の場合は、オフ信号が検出される。
【００４５】
図７は、操作リング２１を回転操作したときに電極ブラシ２４ａ，２４ｂで検出されるスイッチ信号のオン／オフの切り替え状態を示す図である。図７において、実線７０ａは、電極ブラシ２４ａのスイッチ信号を示し、破線７０ｂは、電極ブラシ２４ｂのスイッチ信号を示す。
【００４６】
電極ブラシ２４ａからのスイッチ信号がオンの場合は、電極ブラシ２４ｂ側のスイッチ信号はオフとなり、電極ブラシ２４ｂからのスイッチ信号がオンの場合は、電極ブラシ２４ａ側のスイッチ信号はオフとなる。このため、電極ブラシ２４ａ，２４ｂの両方のスイッチ信号が同時にオンになることはない。操作リング２１の回転操作開始の検出には、このような信号が得られれば十分であるため、操作検出部１４は、回転量検出部１５に比べて分解能が小さくても十分であり、電極パターンの幅の寸法精度が低くても機能を満たすことができる。
【００４７】
図８は、電極ブラシ２４ａ，２４ｂ，２８とレンズ制御部１６とを接続する電気回路を示す図である。
【００４８】
図８に示すように、電気回路は、端子８１ａ〜８１ｃを有する切り替えスイッチ、電界効果型トランジスタ（ＦＥＴ）８２ａ，８２ｂ、抵抗８５ａ，８５ｂ、端子８３ａ，８３ｂ、端子８４ａ，８４ｂ、及び端子８６を備える。
【００４９】
切り替えスイッチの端子８１ａ〜８１ｃは、それぞれ電極ブラシ２４ａ，２４ｂ，２８に対応しており、端子８１ｃは、端子８１ａと端子８１ｂとの導通が選択的に切り替わる。端子８１ｃの他端は、グランドに接続される。
【００５０】
端子８３ａ，８３ｂは、それぞれレンズ制御部１６の端子と接続され、端子８４ａ，８４ｂは、それぞれレンズ制御部１６の端子及びリセットＩＣ１７に接続され、端子８６は、電源Ｖｃｃと接続される。
【００５１】
ＦＥＴ８２ａの特性により、端子８３ａに接続されるレンズ制御部１６により電圧のＨ（Ｈｉｇｈ），Ｌ(Ｌｏｗ)の切り替えを行うことで、ＦＥＴ８２ａのＤ（ドレイン）−Ｓ（ソース）間の導通状態を制御することができる。端子８３ａをＨとすると、ＦＥＴ８２ａのＤ−Ｓ間が導通可能となり、端子８３ａをＬとすると、ＦＥＴ８２ａのＤ−Ｓ間が導通不可となる。
【００５２】
端子８３ａの電圧がＬ、又は切り替えスイッチの端子８１ａが端子８１ｃと導通していないオフのときは、抵抗８５ａで電圧降下が起こらず、レンズ制御部１６の入力端子８４ａの電圧がＨとなる。端子８３ａの電圧がＨ、かつ切り替えスイッチの端子８１ａが端子８１ｃと導通しているオンのときは、抵抗８５ａで電圧降下が起き、レンズ制御部１６の入力端子８４ａの電圧がＬとなる。
【００５３】
切り替えスイッチの端子８１ｂ、ＦＥＴ８２ｂ、端子８４ｂ及び抵抗８５ｂの電気回路は、切り替えスイッチの端子８１ａ、ＦＥＴ８２ａ、端子８４ａ、及び抵抗８５ａの電気回路と同様の動作をする。
【００５４】
これにより、選択的に切り替えスイッチの端子８１ａ，８１ｂのオン／オフを検出することが可能となる。このため、レンズ鏡筒２が低消費電力モード時に電力を消費しないスイッチを利用できるため、操作リング２１の回転操作検出を、消費電力を抑えて行うことができる。
【００５５】
次に、リセットＩＣ１７について説明する。リセットＩＣ１７は、図８に示す端子８４ａ，８４ｂより１組の信号を取得し、取得した信号を基にレンズ制御部１６の入力端子にカメラスリープ信号を出力する。
【００５６】
具体的には、リセットＩＣ１７は、端子８４ａ，８４ｂからの信号の組み合わせが（Ｈ，Ｈ）のとき、Ｌの電力消費モード変更信号をレンズ制御部１６の入力端子に出力する。また、リセットＩＣ１７は、端子８４ａ，８４ｂからの信号が（Ｈ，Ｌ）又は（Ｌ，Ｈ）のとき、Ｈの電力消費モード変更信号をレンズ制御部１６の入力端子に出力する。
【００５７】
なお、レンズ制御部１６は、電力消費モード変更信号がＬの場合、レンズ鏡筒２を低消費電力モードに設定し、電力消費モード変更信号がＨの場合は、低消費電力モードに設定しない。
【００５８】
次に、図９を参照して、カメラ本体１が低消費電力モードに設定されて、レンズ鏡筒２が低消費電力モードになった後、操作リング２１を回転操作してカメラ本体１が低消費電力モードから通常モードに復帰するまでの制御を説明する。
【００５９】
図９（ａ）は、レンズ鏡筒２がカメラ本体１側の低消費電力モードを認識してから低消費電力モードとなるまでのレンズ制御部１６の制御例を示すフローチャート図である。
【００６０】
図９（ａ）において、ステップＳ９１０１では、レンズ制御部１６は、カメラ本体１側が低消費電力モードに設定されているかを判断する。そして、レンズ制御部１６は、カメラ本体１側が低消費電力モードに設定されている場合は、ステップＳ９１０２へ進み、低消費電力モードに設定されていない場合は、ステップＳ９１０４へ進み、端子８３ａ又は８３ｂをＬにして処理を終了する。
【００６１】
ステップＳ９１０２では、レンズ制御部１６は、操作検出部１４の動作セットを行い、ステップＳ９１０３に進む。なお、ここでの操作検出部１４の動作セットについては、図９（ｂ）で後述する。
【００６２】
ステップＳ９１０３では、レンズ制御部１６は、回転量検出部１５への電力供給を停止し、レンズ鏡筒２を低消費電力モードにして、処理を終了する。このとき、端子８３ａ，８３ｂへの出力は保持されている。
【００６３】
図９（ｂ）は、図９（ａ）のステップＳ９１０２における操作検出部１４の動作セットの処理例を示すフローチャート図である。
【００６４】
図９（ｂ）において、ステップＳ９２０１では、レンズ制御部１６は、端子８３ａ，８３ｂをＨにし、ステップＳ９２０２に進む。このとき、切り替えスイッチの端子８１ａ又は８１ｂが端子８１ｃと導通してオンとなっている状態であれば、ＦＥＴ８２ａ又は８２ｂのＳに電流が流れ、端子８４ａ，８４ｂは、Ｌを示す。
【００６５】
ステップＳ９２０２では、レンズ制御部１６は、端子８４ａがＬかを判断する。そして、レンズ制御部１６は、端子８４ａがＬと判断した場合は、切り替えスイッチの端子８１ａがオンであると認識し、ステップＳ９２０３に進んで端子８３ａをＬにして処理を終了する。端子８３ａをＬにすることで、切り替えスイッチの端子８１ａがオンであっても電力を消費しない状態になる。
【００６６】
また、前述したように、切り替えスイッチの端子８１ａがオンであれば、端子８１ｂは必ずオフとなるので、操作リング２１が回転操作されない限り電力を消費することがない状態となる。一方、レンズ制御部１６は、端子８４ａがＬでないと判断した場合は、切り替えスイッチの端子８１ａがオフであると認識し、ステップＳ９２０４へ進む。
【００６７】
ステップＳ９２０４では、レンズ制御部１６は、端子８４ｂがＬかを判断する。そして、レンズ制御部１６は、端子８４ｂがＬであると判断した場合は、切り替えスイッチの端子８１ｂがオンであると認識し、ステップＳ９２０５に進んで端子８３ｂをＬにして処理を終了する。端子８３ｂをＬにすることで、切り替えスイッチの端子８１ｂがオンでも電力を消費しない状態となる。
【００６８】
また、切り替えスイッチの端子８１ａがオフであるので、操作リング２１が回転操作されない限り電力を消費することがない状態となる。一方、レンズ制御部１６は、端子８４ｂがＨと判断した場合は、切り替えスイッチの端子８１ａ，８１ｂが共にオフであると認識して処理を終了する。
【００６９】
前述したように、レンズ鏡筒２が低消費電力モードとなっても端子８３ａ，８３ｂへの出力は保持されているため、レンズ鏡筒２が低消費電力モード時の端子８４ａ，８４ｂの出力（Ｈ，Ｈ）がリセットＩＣ１７に送られる。そのため、リセットＩＣ１７からレンズ制御部１６の入力端子への電力消費モード変更信号は、Ｌとなる。
【００７０】
そして、操作リング２１を回転操作すると、回転部材２３が回転して電極ブラシ２４ａ，２８間又は電極ブラシ２４ｂ，２８間に円筒電極２３ａが接触することによりスイッチ信号がオンとなる。そして、（Ｌ，Ｈ）又は（Ｈ，Ｌ）の信号がリセットＩＣ１７に出力され、リセットＩＣ１７がその信号を受けることで、レンズ制御部１６の入力端子がＬからＨへとプルアップ（電力消費モード変更信号Ｈが出力）される。これにより、レンズ制御部１６は、レンズ鏡筒２を低消費電力モードから通常モードに復帰させ、次いで、カメラ本体１を低消費電力モードから通常モードに復帰させる。
【００７１】
以上説明したように、本実施形態では、回転部材２３の電極パターンとして、第２の導通部５２ｂ及び非導通部５３により形成される電極パターン５６と、第１の導通部５２ａにより形成される電極パターン５７とが軸方向に並設されている。即ち、本実施形態では、回転部材２３に対して２つの電極パターン５６，５７を形成すれば足りる。このため、レンズ鏡筒２において低消費電力モードを解除する際の操作リング２１の回転操作開始をより簡単な構造で検出することができ、操作リング２１の回転操作開始を検出する機構の加工性及び組立性を高めることができる。
【００７２】
また、本実施形態では、回転部材２３に形成する電極パターンを少なくすることができるため、従来に比べて回転部材２３の軸方向寸法を短くすることができ、回転部材２３を軸支する距離が短くなる。このため、操作リング２１をユーザが把持する際に発生する径方向の力に対して強度が高くなる。
【００７３】
また、本実施形態では、電極ブラシ２４ａ，２４ｂにより回転部材２３を径方向に対向する方向から挟み込むようにしているので、回転部材２３にかかる力が均等になり、回転軸２６のこじりや摩耗を軽減することができる。
【００７４】
なお、本発明の構成は、上記実施形態に例示したものに限定されるものではなく、材質、形状、寸法、形態、数、配置箇所等は、本発明の要旨を逸脱しない範囲において適宜変更可能である。
【００７５】
例えば、上記実施形態では、回転部材２３を円筒電極２３ａと樹脂部材２３ｂとを軸方向に一体に嵌合して形成したが、これに限定されない。例えば、樹脂素材で製作した回転部材２３に対して、電極パターン５６，５７をめっきやシルク印刷などにより形成してもよい。この場合も、従来よりも電極パターンが少ないため、マスク形状を単純化することができ、加工が容易となる。
【００７６】
また、上記実施形態では、複数の電極接点として２つの電極ブラシ２４ａ，２４ｂを設けた場合を例示したが、これに限定されない。複数の電極接点のうちの２つが互いに同時に第２の導通部５２ｂと接触し、基準電極接点である電極ブラシ２８と導通することがなければ、他にも電極接点を設けてもよい。
【００７７】
また、上記実施形態では、基準電極接点として１つの電極ブラシ２８を例示したが、基準電極接点を複数設けてもよい。例えば、図１０に示すように、２つの電極ブラシ２８，２９により回転部材２３を径方向に対向する方向から挟み込むようにしてもよい。これにより、回転部材２３をさらに安定して回転させることが可能になり、回転軸２６のこじりや摩耗を軽減することができる。なお、この場合、電極ブラシ２９は、電極ブラシ２８と接続され、ともに基準電極接点となる。
【符号の説明】
【００７８】
１  カメラ本体
２  レンズ鏡筒
５  カメラ制御部
１４  操作検出部
１５  回転量検出部
１６  レンズ制御部
１７  リセットＩＣ
２１  操作リング
２３  回転部材
２３ａ  円筒電極
２３ｂ  樹脂部材
２４ａ，２４ｂ  電極ブラシ
２８  電極ブラシ
【図１】
2015215497.tif 000003
【図２】
2015215497.tif 000004
【図３】
2015215497.tif 000005
【図４】
2015215497.tif 000006
【図５】
2015215497.tif 000007
【図６】
2015215497.tif 000008
【図７】
2015215497.tif 000009
【図８】
2015215497.tif 000010
【図９】
2015215497.tif 000011
【図１０】
2015215497.tif 000012